(57)【要約】【課題】  パーラーチェアの支持脚の下端部をそれが嵌合している床固定用ベースの筒部から取外すとき、軽微な労力で容易かつ迅速に取外し作業を行えるようにしたパーラーチェアの着脱機構を提供する。【解決手段】  パーラーチェアの支持脚２の下端部６ａを嵌合する筒部３１を備えた床固定用ベース３と、前記支持脚２の下部を挿通させて前記筒部３１の外面に形成した螺合部に螺合されたリングナット７を備えたパーラーチェアの着脱機構において、前記支持脚２におけるリングナット７の上方に、前記筒部３１に螺合されたリングナット７にその螺合を解く回転をさせるとき、回転されるリングナットの上面に直接又は間接に当接し当該リングナットに押上げられる嵌合解除用の助勢突部（６１）を設ける。【選択図】図３
2007105343.tif 000002
【特許請求の範囲】
【請求項１】
パーラーチェアの支持脚の下端部を嵌合する筒部を備えた床固定用ベースと、前記支持脚の下部を挿通させて前記筒部の外面に形成した螺合部に螺合されたリングナットを備えたパーラーチェアの着脱機構において、前記支持脚におけるリングナットの上方に、前記筒部に螺合されたリングナットにその螺合を解く回転をさせるとき、回転されるリングナットの上面に直接又は間接に当接し当該リングナットに押上げられる嵌合解除用の助勢突部を設けたことを特徴とするパーラーチェアの着脱機構。
【請求項２】
リングナットは、筒部に嵌合した支持脚の下部に下向きの押下げ力が作用するように前記筒部に螺合するか、又は、支持脚の下部を嵌合した筒部に螺合した請求項１のパーラーチェアの着脱機構。
【請求項３】
直接又は間接に当接してリングナットに押上げられる嵌合解除用の助勢突部は、支持脚におけるリングナット上方の当該支持脚の全周または一部にフランジ状突部として、又は、複数の突起体として形成した請求項１又は２のパーラーチェアの着脱機構。
【請求項４】
筒部に嵌合される支持脚の下端部に設けた嵌合解除用突部の下面と前記筒部に螺合されたリングナットの上面の間に、前記突部とリングナットを離間させる方向にバネ力を作用させるバネ体を配置した請求項１〜３のいずれかのパーラーチェアの着脱機構。
【請求項５】
バネ体とリングナットの上面の間にワッシャを介在させた請求項４のパーラーチェアの着脱機構。
【請求項６】
嵌合解除用の助勢突部の下面、又は、この下面に対面するリングナットの上面、若しくは、リングナットの上面に対面するワッシャの下面には、リングナットが前記突部又はワッシャに当接して回転するとき、その当接による摩擦を軽減するための半球状体やドーム状体などによる摩擦軽減部材を設けた請求項１〜４のいずれかのパーラーチェアの着脱機構。
【発明の詳細な説明】
【技術分野】
【０００１】
本発明は、パチンコやスロットマシン等の遊技機の前に配置した位置から着脱自在にしたパーラーチェアの着脱機構に関する。
【背景技術】
【０００２】
パチンコ、スロットマシンなどの遊技機（台）が設置された遊技場においては、各遊技機の前に置かれた椅子（パーラーチェア）に腰を下ろしてプレイやゲームを楽しむが、遊技場の椅子は、通常床面に固定されているので、椅子を自由に移動させることはできない。
【０００３】
上記のような固定式椅子しか設置されていない遊技場に車椅子で来店した遊技者は、椅子が固定されているため車椅子を遊技機の前に乗り入れることができず、従って、遊技機によるプレイを楽しむことはできない。しかし乍ら、遊技場内の椅子を移動可能にして車椅子を遊技機の前に乗り入れることができれば、車椅子で来店する遊技者にとっては便利である。現状では、遊技島のメンテナンスのため、当該島の側端に位置する遊技機の椅子が移動できるようになっているので、この機能を利用して車椅子での来場者に対応している遊技場も散見されるが、これでは車椅子で乗り入れできる遊技機の場所が予め決められていて選択の余地がないため、遊技者が希望する遊技機でプレイを楽しむことはできないという問題があった。
【０００４】
上記の問題点に鑑み、車椅子で来店する遊技者が、自分が希望する遊技機で自由にプレイを楽しむことができるように、椅子を簡単に床面から装脱着可能にしたパーラーチェアが特許文献１などにより提案されている。
【０００５】
提案されているパーラーチェアは、その支持脚を固定する床固定用ベースに支持脚の下端部が嵌合する筒部を立設し、支持脚下部に遊嵌したリングナットと筒部に形成した螺合部により、前記支持脚を固定用ベースに着脱自在としたもので、パーラーチェアは設置床面からの着脱を簡単に行うことができるように形成されている。
【０００６】
しかし、上記パーラーチェアは、床固定用ベースの筒部と、この筒部に嵌合されるパーラーチェアの支持脚の下端部とはテーパ穴とテーパ軸の関係で嵌合されるため、当該チェアの座部に人が掛けて支持脚に垂直荷重が加わると、テーパ穴の筒部内に支持脚の下端部が強く嵌合してしまい、次のような問題のあることが指摘されている。
【０００７】
即ち、このパーラーチェアを床固定用ベースから取外して、例えば、車椅子乗入れ用のスペースを形成しようとするとき、強く嵌合した支持脚の下端部と床固定用ベースの筒部とのその嵌合が人力によっては容易に解くことができず、一台のパーラーチェアの撤去に多大の労力と時間を要すという新たな問題が派生したのである。
【特許文献１】特開２００３−２５１０６１号公報
【発明の開示】
【発明が解決しようとする課題】
【０００８】
そこで、本発明では、本出願人らが先に提案したパーラーチェアの装脱着構造を殆んどそのまま利用してパーラーチェアの支持脚の下端部をそれが嵌合している床固定用ベースの筒部から取外すとき、軽微な労力で容易かつ迅速に取外し作業を行えるようにしたパーラーチェアの着脱機構を提供することを課題とする。
【課題を解決するための手段】
【０００９】
上記の課題を解決することを目的としてなされた本発明着脱機構の構成は、パーラーチェアの支持脚の下端部を嵌合する筒部を備えた床固定用ベースと、前記支持脚の下部を挿通させて前記筒部の外面に形成した螺合部に螺合されたリングナットを備えたパーラーチェアの着脱機構において、前記支持脚におけるリングナットの上方に、前記筒部に螺合されたリングナットにその螺合を解く回転をさせるとき、回転されるリングナットの上面に直接又は間接に当接し当該リングナットに押上げられる嵌合解除用の助勢突部を設けたことを特徴とするものである。
【００１０】
上記パーラーチェアの着脱機構において、使用しているリングナットは、筒部に嵌合した支持脚の下部に下向きの押下げ力が作用するように前記筒部に螺合するか、又は、支持脚の下部を嵌合した筒部に螺合させることにより、支持脚の下部が嵌合された床固定用ベースの筒部に保持される。
【００１１】
また、上記の本発明着脱機構において、直接又は間接にリングナットに押上げられる嵌合解除用の助勢突部としては、支持脚におけるリングナットの上方にフランジ状突部、又は、複数の突起体により助勢突部に形成したものがある。そして、フランジ状突部は、支持脚の全周に鍔状に設けるか、又は、支持脚外周上の少なくとも２箇所又は３箇所に円弧板状の突部として設けることができる。
【００１２】
本発明では、筒部に嵌合される支持脚の下端部に設けた嵌合解除用突部の下面と前記筒部に螺合されたリングナットの上面の間に、前記突部とリングナットを離間させる方向にバネ力を作用させるバネ体を配置する形態を採ることもある。ここで、前記の助勢突部下面とリングナット上面の間にバネ体を配置したものでは、助勢突部はバネ体を介して間接的にリングナット上面に当接し、バネ体を介在させないものは直接当接することになる。また、前記バネ体とリングナット上面の間にはワッシャを入れることが望ましい。さらに、フランジ状突部など突部の下面、又は、この突部の下面に対面するリングナットの上面、若しくは、リングナットの上面に対面するワッシャの下面には、リングナットが前記突部に当接して回転するとき、その当接による摩擦を軽減する目的で、一例として半球状体やドーム状体、或は、自在ボールなどの摩擦軽減部材を配置すると、リングナットを回転させる力を軽減できる。ここで、突起やボールなどは、リングナットの周上において等ピッチとなるように設けることが好ましい。
【発明の効果】
【００１３】
本発明着脱機構は、本出願人が先に提案しているパーラーチェアの装脱着機構において、床固定用ベースの筒部に螺合させて保持したリングナットの上方に、当該リングナットにその螺合を解く回転を与えるとき、そのリングナットの上面に直接又は間接に当接して当該リングナットに押上げられる嵌合解除用の助勢突部を設けたから、リングナットを回転させてそれを緩めるとき、緩め回転させられる当該ナットの上面が、支持脚と筒部の嵌合を解くために支持脚に設けたフランジ状などの突部に当接してその支持脚をリフトアップする。従って、人手の力によって抜去していた支持脚と筒部の離脱を省力的かつ合理的に行うことができる。
【発明を実施するための最良の形態】
【００１４】
次に、本発明着脱機構の実施の形態例について、図を参照して説明する。添付した図において、図１はパーラーチェアの一例の設置状態の斜視図、図２は図１の支持脚と床固定用ベースを分離した状態の斜視図、図３は図２のパーラーチェアにおいて本発明着脱機構の一例を適用した支持脚と筒部を有する床固定用ベースの嵌合状態を説明するための右半を断面にした拡大正面図、図４は図３における床固定用ベースの筒部に嵌合された支持脚と化粧カバーの斜視図、図５は本発明着脱機構の別例を説明するための要部の断面図である。
【００１５】
図１に示した本発明着脱機構を適用するパーラーチェアの一例のチェアＡは、座席本体１と、座席本体１を支持する支持脚２と、支持脚２を床に固定するための床固定用ベース３を基本部材として構成され、デザイン上の処理のために、上部化粧カバー４と下部化粧カバー５が、前記支持脚２と床固定用ベース３を覆うように配置されている。なお、Ｆは床である。
【００１６】
図２及び図３に例示した本発明着脱機構の一例において、座席本体１を下から支持する支持脚２は、上端部側で座席本体１に結合された円柱状の支柱６の下端に近い下部外周上の上，下に、適宜距離を置いて２つのリング６０と６１を固定的に設け、これらのリング６０，６１の間に、後述する床固定用ベース３の略央部に立設した筒部３１の外周に形成した雄螺糸３２と螺合する雌螺糸を備えたリングナット７を、そのナット７の内フランジ付開口部７ａにおいて遊嵌し当該ナット７を保持している。なお、６２は上位のリング６１の上方に固定的に設けた第三のリングで、後述する上部化粧カバー４の係止部として作用する。また、支柱６のリング６０の下方側には、当該リング６０に連接して支柱６の外周面から突出した凸状のキー６３が形成されている。
【００１７】
図２〜図４に示したように、床固定用ベース３は、ここでは円盤状をなすベース本体３０とこのベース本体３０の中央部に立設させた筒部３１から構成され、円盤状ベース本体３０の周上には床Ｆにアンカーボルト９を固定するためにボルト孔３３が不等間隔乃至等間隔で穿設されている。床固定用ベース３の筒部３１は、その内径がテーパ穴３１ａに形成され、前記テーパ穴３１ａに見合うテーパ度が付与された支柱６の下端部６ａが嵌合する形状であり、支柱６の下端部６ａが嵌合したとき、リング６０が筒部３１の上端面に当接する深さに形成されている。
【００１８】
ここで、筒部３１の上半部の外周面には支持脚２のリングナット７の雌螺糸と螺合するための雄螺糸３２が形成されていると共に、この筒部３１の上端には、支持脚２の支柱６に形成したキー６３が嵌入するキー溝（切欠き部）３４が形成されている。なお、キー溝３４と直角方向のベース体３０外縁には位置決め用の位置決めマーク３５が印されている。
【００１９】
次に、支持脚２と床固定用ベース３をデザイン上の観点から被覆した上部化粧カバー４及び下部化粧カバー５について説明する。図３と図４に示したように、上部化粧カバー４は、筒状の胴部４０と支柱６が挿入可能で支柱６に形成した第三リング６２の外径より小さい内径の円孔を有する底部４１と、支柱６の先端部６４に挿入可能で支柱６の外径より小さい内径の円孔を有するキャップ状の頭部４２を備えた筒体により構成され、底部４１の円孔の下方にはリング６２を囲む環状のリブ４３が突出している。この構成により、上部化粧カバー４の底部４１は、底部円孔により支柱６に挿入されてリング６２に支持されると共に、当該化粧カバー４の頭部４２が頭部円孔から支柱６の先端部６４に挿入されて、支柱６の先端段部６５に支持される。なお、上部化粧カバー４の環状リブ４３と支柱６のリング６２の嵌合により上部化粧カバー４のがたつきが防止されている。
【００２０】
下部化粧カバー５は、下方に向かって外径が膨出した釣鐘状の筒体により形成されており、この下部化粧カバー５の下端部５ａの内径は、床固定用ベース３のベース体３０の外径より大きく形成されている。また、下部化粧カバー５の上端側の内径は、上部化粧カバー４の下部外径より大きく形成すると共に、上端に上部化粧カバー４に嵌まる穴５ｂが形成されている。これにより、下部化粧カバー５は、床固定用ベース３をその上面から覆うことができると共に、下部化粧カバー５を上部化粧カバー４の上にスライドさせて持上げ、この状態で支持脚２のリングナット７を回せるように形成されている。ここで、上部化粧カバー４の外径は上部に向って漸次大きくする浅いテーパを付けているので、下部化粧カバー５の上端の穴５ｂの内径を上部化粧カバー４の上部外径と略同じにすれば、下部化粧カバー５を上部化粧カバー４に沿って持上げると、持上げた位置で下部化粧カバー５を上部化粧カバー４に保持させることができるので、リングナット７の回し作業が行い易くなる。
【００２１】
次に、図２〜図４を参照して説明した本発明着脱機構の一例を備えたパーラーチェアＡの設置方法の例について説明する。図２に示したように、遊技台から一定間隔の距離を保って遊技台と平行に墨出しを行い、墨出し線Ｌに対し、床固定用ベース３を、そのキー溝３４が遊技台の反対側に位置するように、当該ベース３のマーク３５を線Ｌに合わせる。これにより床固定用ベース３のキー溝３４が遊技台の面に対して直角の向きに配置される。床固定用ベース３のベース体３０に穿設したボルト孔３３のうち、一例として遊技台側のボルト孔３３を２個、通路側のボルト孔３３を１個の合計３個を利用してアンカーボルト９を床Ｆに打ち込み、このベース３を床に固着する。なお、ボルト９の打ち込みにくい場所や、床の強度が足りない場合などには、予備のボルト孔３３を適宜利用してアンカーボルト９を取り付けることがある。
【００２２】
次に、床Ｆに固定された前記ベース３に支持脚２を取り付ける。支持脚２を床固定用ベース３に取り付けるには、支持脚２の支柱６に形成したキー６３が床固定用ベース３のキー溝３４に合致するようにして当該支持脚２の下端を床固定用ベース３の筒部３１に嵌合させるようにしつつ、以下を行う。即ち、支持脚２のリング６０と６１の間に保持させたリングナット７を、スパナなどの工具を利用して床固定用ベース３の筒部３１の螺糸３２に螺合させて締込む。この支柱６のキー６３と床固定用ベース３のキー溝３４を合わせることにより支柱６の位置決めができ、支柱６の上端に設けたスライド受台８を備えた座席本体１を遊技台に対して正しい向きで取り付けることができる。
【００２３】
支持脚２と床固定用ベース３を覆う上部化粧カバー４と下部化粧カバー５の取付は、まず、下部化粧カバー５を支持脚２の支柱６の先端部６４から挿入して床面に載置し、次いで、上部化粧カバー４も支柱６の先端部６４から挿入して、上部化粧カバー４の底部４１を支柱６のリング６０に支持させ、頭部４２は支柱６の先端段部６５に支持させると共に、上部化粧カバー４の下部を下部化粧カバー５の上端の穴５ｂに挿入して装着する。この後、スライド受台８を備えた座席本体１を支持脚２に取り付ける。
【００２４】
次に、図２〜図４で説明した本発明着脱機構の一例を備えたパーラーチェアＡの支持脚２を床固定ベース３から脱着する態様について説明する。まず、下部化粧カバー５を上方に移動させて一時的に上部化粧カバー４の上方に保持させる。上部化粧カバー４は上方に向って外径が大きくなっているので、下部化粧カバー５を上方に移動させると、この下部化粧カバー５を一時的にその位置に保持することができるのである。
【００２５】
下部化粧カバー５を上方に引き上げると、支持脚２の下方部分が露出するので、支柱６のリングナット７を工具などにより回して前記ナット７の締込みを緩める。リングナット７が緩み側に回転されると、そのナット７は筒部３１の螺糸３２の上を上方に回転されながら移動する（上昇する）ので、当該ナット7における内フランジ付開口部７ａの上面は、このナット７の上方に設けられているリング６１の下面６１ａに当接する。
【００２６】
上記の状態でリングナット７の緩め回転を続けると、このナット７の上昇によってリング６１が設けられた支柱６は上方へ持上げられ、これが筒部３１のテーパ穴３１ａに嵌合している当該支柱６の下端部６ａの嵌合状態を解く。筒部３１のテーパ穴３１ａとの嵌合状態が解かれた支柱６は、そのまま手で持上げれば、座席本体１の付いた支持脚２を床固定用ベース３から容易に取外すことができる。支持脚２を取外した後には、床固定用ベース３が床Ｆの上に残るが、車椅子をここに乗り入れてプレイを楽しむ上では何ら問題にならない。
【００２７】
緩め回転させられる上記リングナット７の上面に当接してこの支柱６をリフトアップするとき、前記ナット７の上面又はリング６１の下面に、周上等ピッチで例えば３個程度の突起、或は、自在球などによる摩擦軽減用の滑動部材を設けると、リングナット７の緩め回転を省力的かつ円滑に行うことが可能になる。なお、本発明を適用する支柱６の下端部６ａと筒部３１の穴３１ａは、テーパを付されていないものであってもよいこと勿論である。
【００２８】
本発明着脱機構の一例については、図２〜図４により以上に説明したが、本発明は、図５に例示する着脱機構の構成を採ることもできるので、図５により本発明着脱機構の別例について説明する。なお、図５において図１、並びに、図２〜図４と同一部材，同一部位は同一符号を用いた。
【００２９】
図２〜図４による実施の形態例では、リングナット７には、内フランジ付開口部７ａを有するナット部材、つまり、ナットの雌螺糸部が内フランジ部より下方にしか形成されないナット部材を用いたが、図５に例示した実施形態のリングナット７１は、筒部３１の雄螺糸３２に螺合する雌螺糸がナットの下端から開口部上端までの全長に形成された外フランジ部７ｂ付きのナット部材を用い、また、先の例で支持脚２における支柱６の下端部６ａ側に設けた最下に位置するリング６０を設けない構成とした。更に、キー溝３４に嵌まるキー６３に代え、着脱できるビス６３’などを用いた。
【００３０】
一方、支柱６のリングナット７１の上面とリング６１の間には、リングナット７１の上面に対向させて支持脚６に遊嵌するワッシャ１１を介して、ここでは圧縮バネ１０を介挿し、リングナット７１の緩め側回転（上昇回転）が、ワッシャ１１を介して前記バネ１０を圧縮するようにした。
【００３１】
この構成により、リングナット７１の緩め回転による上昇がバネ１０にその圧縮力として蓄えられるので、前記ナット７１の回転上昇とバネ１０に蓄えられた圧縮力の協働作用で、支柱６と一体のリング６１を下から押上げて当該支柱６の筒部３１からの抜去可能状態を省力的に形成することができる。
【００３２】
上記のバネ１０には、巻きバネを使用したが、本発明では同じバネ力の作用が得られれば、バネ形態は上記例に限られるものではない。例えば、簡易なものとしてバネ座金（スプリングワッシャ）を使用することもできる。また、例えば、固定されたリング６１の下面又は遊嵌されたワッシャ１１の上面に、複数本のコイルバネや板バネなどを等ピッチで配置した形態であってもよい。
【００３３】
図５の本発明脱着機構では、リングナット７１の内面螺糸がそのナットの全長（全高）に亘って形成されているので、当該ナット７１の外フランジ付開口部７ｂを筒部３１の上面より下方まで位置付けることができ、これによって支持脚２における支柱６のテーパ状の下端部６ａが筒部３１にきちっと嵌合したか否かを確認することができる。
【００３４】
また、図５の本発明着脱機構では、リングナット７１を緩め側に回転して上昇させてバネ１０を圧縮すると、支持脚２における支柱６の下端部６ａが筒部３１との嵌合状態から離脱したとき、前記バネ１０が縮小して蓄えられた圧縮力が解放される音（機械音）が発されるので、当該支柱６が筒部３１からすぐ抜ける状態になっているか否かを、そのバネ１０の圧縮解放時の音により知覚乃至把握できるという利点もある。
【００３５】
次に、上述した本発明着脱機構を備えたパーラーチェアＡにおいて、座席本体１を付けた支持脚２を床固定用ベース３に取り付ける態様について更に追加的に説明する。支持脚２を覆っている下部化粧カバー５を上部化粧カバー４の上方に引上げ、その位置に一時的に保持させる。次に、支柱６のキー６３（図５の例ではビス６３’）と床固定用ベース３のキー溝３４を合わせて支柱６の下端部６ａを固定用ベース３の筒部３１のテーパ穴３１ａに嵌入して、支柱６に保持されているリングナット７（図５の例では、バネ１０、ワッシャ１１、ビス６３’、リングナット７１等の順で予め組み付けておいた状態の当該リングナット７１）を床固定用ベース３の筒部３１に設けた螺糸３２に螺合させる。この螺合を確実に締め込むことにより、座席本体１を備えた支持脚２を床固定用ベース３に強固に支持，固定させることができる。この後、引き上げていた下部化粧カバー５を降ろし床固定用ベース３をカバーすることにより、パーラーチェアＡの取付を完了する。
【産業上の利用可能性】
【００３６】
本発明は、例えば、車椅子で来店した遊技者が、自由に希望する遊技台でプレイを楽しむため、車椅子で来店した遊技者が希望する遊技台のパーラーチェアを床面から取外し、そこに車椅子を乗り入れてその遊技者が希望する台を利用できるように形成されたパーラーチェアにおいて、そのチェアを床固定用ベースから取り外すとき、下部化粧カバーを上方に移動させてその位置に一時的に保持させ、支持脚が嵌合されている床固定用ベースの筒部に螺合されているリングナットを緩めるが、このナットの緩め回転により上昇するナットが支持脚に設けられているリングに下から直接又は間接に当接して支持脚を持上げ、当該支持脚と筒部との嵌合を解くので、パーラーチェアを床固定用ベースから引き上げる作業を省力的かつ迅速に行うことが可能になる。
【図面の簡単な説明】
【００３７】
【図１】パーラーチェアの一例の設置状態の斜視図。
【図２】図１の支持脚と床固定用ベースを分離した状態の斜視図。
【図３】図２のパーラーチェアにおいて本発明着脱機構の一例を適用した支持脚と筒部を有する床固定用ベースの嵌合状態を説明するための右半を断面にした拡大正面図。
【図４】図３における床固定用ベースの筒部に嵌合された支持脚と化粧カバーの斜視図。
【図５】本発明着脱機構の別例を説明するための要部の断面図。
【符号の説明】
【００３８】
Ａ          パーラーチェア
Ｌ          墨出線
１          座席本体
２          支持脚
３          床固定用ベース
４          上部化粧カバー
５          下部化粧カバー
６          支柱
６０，６１  リング
７，７１    リングナット
８          スライド受台
９          アンカーボルト
１０        バネ
１１        ワッシャ
【図１】
2007105343.tif 000003
【図２】
2007105343.tif 000004
【図３】
2007105343.tif 000005
【図４】
2007105343.tif 000006
【図５】
2007105343.tif 000007